(57)【要約】  スプレーガン（２）と共に使用するように構成された銃身（２０）が開示される。銃身（２０）はブースト通路（４８）に流体的に連結されたブースト供給ポート（４４）を備え、ブースト通路（４８）は銃身（２０）と一体になっている。ブースト通路（４８）は、前記スプレーガン（２）から流れる加圧ブースト流体をブースト吐出口（５６）まで送達し、スプレーガン（２）によって吹き付けるために、互換性コーティング流体リザーバ（８０）からコーティング流体を付勢するのを補助するように適合される。
2015512777.tif 000002
【特許請求の範囲】
【請求項１】
スプレーガンと共に使用するように構成される銃身であって、
前記銃身と一体となっているブースト通路に流体的に連結されたブースト供給ポートを備え、
前記ブースト通路は、前記スプレーガンから流れる加圧ブースト流体をブースト吐出口まで送達し、前記スプレーガンによって吹き付けるために、互換性コーティング流体リザーバからコーティング流体を付勢するのを補助するように構成される、銃身。
【請求項２】
前記銃身をコーティング流体リザーバに連結するように構成され、流体ポートを有する流体インターフェースと、
前記銃身内に形成された流体通路によって前記流体ポートに流体的に連結された流体ノズル開口部であって、吹き付けられるべきコーティング流体は、該流体ノズル開口部を通って前記銃身から流出することができる、流体ノズル開口部と、を更に備え、
前記流体通路は、前記スプレーガンによって吹き付けるために、前記互換性コーティング流体リザーバから付勢されたコーティング流体を前記流体ノズル開口部の外へ送達するように構成される、請求項１に記載の銃身。
【請求項３】
前記銃身をスプレーガンプラットフォームに連結するように構成されるガンインターフェースを更に備える、請求項１又は２に記載の銃身。
【請求項４】
前記流体インターフェースは、前記ブースト吐出口を有する、請求項２又は３に記載の銃身。
【請求項５】
前記ブースト吐出口は、前記流体インターフェースを互換性コーティング流体リザーバへ連結することによって形成される、請求項２〜４のいずれか一項に記載の銃身。
【請求項６】
前記ブースト通路の少なくとも一部は、前記銃身を互換性コーティング流体リザーバへ連結することによって形成される、請求項１〜５のいずれか一項に記載の銃身。
【請求項７】
前記ガンインターフェースは、コーティング流体チャンバを有し、
前記銃身が互換性スプレーガンプラットフォームに組み付けられたときに、前記ブースト供給ポートは、前記コーティング流体チャンバに流体的に連結される、請求項３〜６のいずれか一項に記載の銃身。
【請求項８】
前記ブースト通路は、遮断装置によって妨害されない、請求項１〜７のいずれか一項に記載の銃身。
【請求項９】
銃身と、スプレーガンと組み合わせて使用するように構成されるコーティング流体リザーバと、を備える組立体であって、
前記銃身は、
該銃身を前記コーティング流体リザーバに連結するように構成され、流体ポートを含む流体インターフェースと、
前記銃身内に形成された流体通路によって前記流体ポートに流体的に連結された流体ノズル開口部であって、吹き付けられるべき流体は、該流体ノズル開口部を通って前記銃身から流出することができる、流体ノズル開口部と、
前記銃身をスプレーガンプラットフォームに連結するように構成されるガンインターフェースと、
前記ガンインターフェースに近接しているブースト供給ポートと、を有し、
前記コーティング流体リザーバは、
前記流体インターフェースに連結され、
前記流体ポートに流体的に連結されているコーティング流体チャンバと、
前記ブースト吐出口に流体的に連結されているブースト流体チャンバと、
前記銃身内に形成され、前記ブースト供給ポートを、前記流体インターフェースに近接して配置されたブースト吐出口に流体的に連結するブースト通路と、を有し、
前記ブースト通路は、前記スプレーガンから流れる加圧ブースト流体を前記ブースト流体チャンバへ送達し、前記コーティング流体チャンバ内の流体を、前記流体通路の内部及び前記流体ノズル開口部の外部へ付勢するのを補助するように構成される、組立体。
【請求項１０】
前記ブースト通路は、前記銃身と前記コーティング流体リザーバとを互いに組み立てることによって、少なくとも部分的に形成される、請求項９に記載の組立体。
【請求項１１】
前記ブースト吐出口は、前記流体インターフェースと一体となっており、前記ブース通路は、前記銃身の一つの特徴として一体的に形成されている、請求項９に記載の組立体。
【請求項１２】
前記コーティング流体リザーバは、前記コーティング流体チャンバを前記ブースト流体チャンバから流体的に分離するための分離部材を有する、請求項９〜１１のいずれか一項に記載の組立体。
【請求項１３】
前記ブースト通路は、遮断装置によって妨害されない、請求項９〜１２のいずれか一項に記載の組立体。
【請求項１４】
前記コーティング流体リザーバ内の流体は、前記銃身に対する前記コーティング流体リザーバの向きとは関係なく、前記ブースト通路に流入することが防止される、請求項９〜１３のいずれか一項に記載の組立体。
【請求項１５】
銃身及びスプレーガンを備える組立体であって、
前記銃身は、
該銃身をコーティング流体リザーバに連結するように構成され、流体ポートを含む流体インターフェースと、
前記銃身内に形成された流体通路によって前記流体ポートに流体的に連結される流体ノズル開口部であって、吹き付けるべき流体は、該流体ノズル開口部を通って前記銃身から流出することができる、流体ノズル開口部と、
前記銃身をスプレーガンに連結するように構成されるガンインターフェースと、
前記ガンインターフェースに近接し、前記銃身内に形成されたブースト通路に流体的に連結されるブースト供給ポートと、を有し、
前記スプレーガンは、
銃身インターフェース内に収容されるブーストポートを有し、
前記銃身インターフェースにおいて前記ガンインターフェースに連結され、
前記ブースト通路は、前記ブーストポートから流れる加圧ブースト流体を、前記流体インターフェースに近接するブースト吐出口まで送達し、互換性コーティング流体リザーバ内の流体を、前記流体通路内部及び前記流体ノズル開口部の外部へ付勢するのを補助するように構成される、組立体。
【請求項１６】
スプレーガンの互換性銃身に連結するように構成されたコーティング流体リザーバであって、
コーティング流体チャンバと、
分離部材によって前記コーティング流体チャンバから分離されるブースト流体チャンバと、
蓋部材と、を備え、
該蓋部材は、
前記コーティング流体リザーバを互換性銃身に連結するためのリザーバコネクタと、
前記コーティング流体チャンバに流体的に連結されている流体アパーチャと、
前記ブースト流体チャンバに流体的に連結されているブーストアパーチャと、を有し、
前記ブーストアパーチャを介して加圧ブースト流体を前記ブースト流体チャンバへ導入することによって、前記コーティング流体チャンバへ圧力が加えられ、前記流体アパーチャを通して前記コーティング流体チャンバ内の流体を付勢する、コーティング流体リザーバ。
【請求項１７】
前記流体アパーチャは、アパーチャ軸線を取り囲む中央通路を有し、
前記ブーストアパーチャは、前記アパーチャ軸線から第１の距離に前記流体アパーチャに隣接して位置決めされる、請求項１６に記載のコーティング流体リザーバ。
【請求項１８】
前記ブーストアパーチャは、前記流体アパーチャを取り囲む少なくとも１つのアパーチャを有する、請求項１６又は１７に記載のコーティング流体リザーバ。
【請求項１９】
前記流体アパーチャは、カップリング突出部を通じて軸方向通路によって画定され、
前記カップリング突出部は、スプレーガンの互換性銃身に対して封止するように構成される突出部合わせ面を含む、請求項１６〜１８のいずれか一項に記載のコーティング流体リザーバ。
【請求項２０】
前記ブーストアパーチャは、前記カップリング突出部を取り囲む複数のアパーチャを有する、請求項１９に記載のコーティング流体リザーバ。
【請求項２１】
前記蓋部材は、リザーバコネクタを更に有し、
該リザーバコネクタは、互換性銃身上に前記蓋部材を保持するように構成された保持部材を含む、請求項１６〜２０のいずれか一項に記載のコーティング流体リザーバ。
【請求項２２】
前記分離部材は、前記コーティング流体チャンバを取り囲む圧縮可能なポーチを有する、請求項１６〜２１のいずれか一項に記載のコーティング流体リザーバ。
【請求項２３】
前記ブースト流体チャンバは、前記コーティング流体チャンバを取り囲む、請求項１６〜２２のいずれか一項に記載のコーティング流体リザーバ。
【請求項２４】
前記ブースト流体チャンバは、外側ハウジングによって取り囲まれる、請求項１６〜２２のいずれか一項に記載のコーティング流体リザーバ。
【請求項２５】
前記外側ハウジングは、前記蓋部材、及び分離可能なカップ部材を有する、請求項２４に記載のコーティング流体リザーバ。
【請求項２６】
前記蓋部材は、カラーによって前記分離可能なカップ部材に接合される、請求項２５に記載のコーティング流体リザーバ。
【請求項２７】
前記蓋部材は、前記外側ハウジングと一体であり、該外側ハウジングの一方の端部を形成する、請求項２４に記載のコーティング流体リザーバ。
【請求項２８】
前記コーティング流体リザーバを互換性銃身へ連結したときに、前記ブーストアパーチャから前記流体アパーチャを流体的に隔離するように構成される流体アパーチャ封止部材を備える、請求項１６〜２７のいずれか一項に記載のコーティング流体リザーバ。
【請求項２９】
前記コーティング流体リザーバを互換性銃身へ連結したときに、周囲の雰囲気から前記ブーストアパーチャを流体的に隔離するように構成されるブーストアパーチャ封止部材を備える、請求項１６〜２８のいずれか一項に記載のコーティング流体リザーバ。
【請求項３０】
スプレーガンプラットフォームを備えるスプレーガンであって、
前記スプレーガンプラットフォームは、分離可能な銃身を連結するために構成された銃身インターフェースと、流体入口と、トリガーバルブと、を有し、
前記銃身インターフェースは、前記トリガーバルブの作動時に前記流体入口と流体的に連通するブーストポートを含む、スプレーガン。
【請求項３１】
スプレーガンプラットフォームを備えるスプレーガンであって、
前記スプレーガンプラットフォームは、銃身を有し、
前記銃身は、ブースト通路と、流体通路と、流体インターフェースと、を含み、
前記流体インターフェースは、
前記ブースト通路と流体的に連通するブースト吐出口と、
前記流体通路と流体的に連通する流体ポートと、を含む、スプレーガン。
【請求項３２】
流体入口及びトリガーバルブを更に備え、
前記ブースト吐出口は、前記トリガーバルブの作動時に前記流体入口と流体的に連通する、請求項３１に記載のスプレーガン。
【請求項３３】
前記銃身は、前記スプレーガンプラットフォームと一体になっている、請求項３１又は３２に記載のスプレーガン。
【請求項３４】
前記銃身は、
前記スプレーガンプラットフォームから分離可能であり、且つ
ガンインターフェースを含み、
前記スプレーガンプラットフォームは、銃身インターフェースを有し、
前記ガンインターフェースは、前記銃身インターフェースに解放可能に連結される、請求項３１又は３２に記載のスプレーガン。
【請求項３５】
前記流体インターフェースに連結されているコーティング流体リザーバを更に備える、請求項３１〜３４のいずれか一項に記載のスプレーガン。
【請求項３６】
前記コーティング流体リザーバは、
前記ブースト吐出口と流体的に連通するブーストアパーチャと、
前記流体ポートと流体的に連通する流体アパーチャと、を有する、請求項３５に記載のスプレーガン。
【請求項３７】
前記コーティング流体リザーバは、
前記ブーストアパーチャと流体的に連通するブースト流体チャンバと、
前記流体アパーチャと流体的に連通するコーティング流体チャンバと、を有する、請求項３６に記載のスプレーガン。
【請求項３８】
前記コーティング流体リザーバは、前記コーティング流体チャンバから前記ブースト流体チャンバを流体的に隔離する分離部材を有する、請求項３７に記載のスプレーガン。
【請求項３９】
互換性銃身内へ組み付けるためのポーチであって、
コーティング流体チャンバを取り囲む分離部材と、
前記コーティング流体チャンバと流体的に連通する流体アパーチャと、
前記流体アパーチャに近接するカップリング突出部であって、前記銃身内の１以上の協働銃身合わせ面に対して封止するように構成される１以上の突出部合わせ面を有する、カップリング突出部と、を備える、ポーチ。
【発明の詳細な説明】
【背景技術】
【０００１】
スプレーガンは、多数の業界にわたって塗料などの液体の塗布に使用されることが知られている。このようなスプレーガンは、一般に、ガン本体、吹き付けるべき液体を保持するためのリザーバ、及び塗布すべき表面の上に液体を噴霧及び推進するのを補助する空気源を含む。多くの場合、コーティング液は高価であり、したがって液体の可能な限り多くを使用して廃棄物を最小に抑えることが望ましい。更に、比較的に粘性のコーティング液は、重力又はサイフォンの影響下でリザーバから引き出すのが困難になり得る。
【発明の概要】
【発明が解決しようとする課題】
【０００２】
スプレーガンにより塗布するためにリザーバからコーティング液を引き出すための改善されたシステム及び方法に対するニーズがある。
【課題を解決するための手段】
【０００３】
本開示に係る例示の実施形態は、便宜上番号を付けたり付けなかったりする、以下に列挙する実施形態を含むが、これらに限定されない。幾つかの付加的な実施形態は、本章には具体的に掲げていないが、添付の「発明を実施するための形態」の中に開示されている。
【０００４】
実施形態１：スプレーガンと共に使用するように構成される銃身であって、
前記銃身と一体となっているブースト通路に流体的に連結されたブースト供給ポートを備え、
前記ブースト通路は、前記スプレーガンから流れる加圧ブースト流体をブースト吐出口まで送達し、前記スプレーガンによって吹き付けるために、互換性コーティング流体リザーバからコーティング流体を付勢するのを補助するように構成される、銃身。
【０００５】
実施形態２：前記銃身をコーティング流体リザーバに連結するように構成され、流体ポートを有する流体インターフェースと、
前記銃身内に形成された流体通路によって前記流体ポートに流体的に連結された流体ノズル開口部であって、吹き付けられるべきコーティング流体は、該流体ノズル開口部を通って前記銃身から流出することができる、流体ノズル開口部と、を更に備え、
前記流体通路は、前記スプレーガンによって吹き付けるために、前記互換性コーティング流体リザーバから付勢されたコーティング流体を前記流体ノズル開口部の外へ送達するように構成される、実施形態１に記載の銃身。
【０００６】
実施形態３：前記銃身をスプレーガンプラットフォームに連結するように構成されるガンインターフェースを更に備える、実施形態１又は２のいずれかに記載の銃身。
【０００７】
実施形態４：前記流体インターフェースは、前記ブースト吐出口を有する、実施形態２又は３に記載の銃身。
【０００８】
実施形態５：前記ブースト吐出口は、前記流体インターフェースを互換性コーティング流体リザーバへ連結することによって形成される、実施形態２〜４のいずれかに記載の銃身。
【０００９】
実施形態６：前記ブースト通路の少なくとも一部は、前記銃身を互換性コーティング流体リザーバへ連結することによって形成される、実施形態１〜５のいずれかに記載の銃身。
【００１０】
実施形態７：前記ガンインターフェースは、コーティング流体チャンバを有し、
前記銃身が互換性スプレーガンプラットフォームに組み付けられたときに、前記ブースト供給ポートは、前記コーティング流体チャンバに流体的に連結される、実施形態３〜６のいずれかに記載の銃身。
【００１１】
実施形態８：前記ブースト通路は、遮断装置によって妨害されない、実施形態１〜７のいずれかに記載の銃身。
【００１２】
実施形態９：銃身と、スプレーガンと組み合わせて使用するように構成されるコーティング流体リザーバと、を備える組立体であって、
前記銃身は、
該銃身を前記コーティング流体リザーバに連結するように構成され、流体ポートを含む流体インターフェースと、
前記銃身内に形成された流体通路によって前記流体ポートに流体的に連結された流体ノズル開口部であって、吹き付けられるべき流体は、該流体ノズル開口部を通って前記銃身から流出することができる、流体ノズル開口部と、
前記銃身をスプレーガンプラットフォームに連結するように構成されるガンインターフェースと、
前記ガンインターフェースに近接しているブースト供給ポートと、を有し、
前記コーティング流体リザーバは、
前記流体インターフェースに連結され、
前記流体ポートに流体的に連結されているコーティング流体チャンバと、
前記ブースト吐出口に流体的に連結されているブースト流体チャンバと、
前記銃身内に形成され、前記ブースト供給ポートを、前記流体インターフェースに近接して配置されたブースト吐出口に流体的に連結するブースト通路と、を有し、
前記ブースト通路は、前記スプレーガンから流れる加圧ブースト流体を前記ブースト流体チャンバへ送達し、前記コーティング流体チャンバ内の流体を、前記流体通路の内部及び前記流体ノズル開口部の外部へ付勢するのを補助するように構成される、組立体。
【００１３】
実施形態１０：前記ブースト通路は、前記銃身と前記コーティング流体リザーバとを互いに組み立てることによって、少なくとも部分的に形成される、実施形態９に記載の組立体。
【００１４】
実施形態１１：前記ブースト吐出口は、前記流体インターフェースと一体となっており、前記ブース通路は、前記銃身の一つの特徴として一体的に形成されている、実施形態９に記載の組立体。
【００１５】
実施形態１２：前記コーティング流体リザーバは、前記コーティング流体チャンバを前記ブースト流体チャンバから流体的に分離するための分離部材を有する、実施形態９〜１１いずれかに記載の組立体。
【００１６】
実施形態１３：前記ブースト通路は、遮断装置によって妨害されない、実施形態９〜１２のいずれかに記載の組立体。
【００１７】
実施形態１４：前記コーティング流体リザーバ内の流体は、前記銃身に対する前記コーティング流体リザーバの向きとは関係なく、前記ブースト通路に流入することが防止される、実施形態９〜１３のいずれかに記載の組立体。
【００１８】
実施形態１５：銃身及びスプレーガンを備える組立体であって、
前記銃身は、
該銃身をコーティング流体リザーバに連結するように構成され、流体ポートを含む流体インターフェースと、
前記銃身内に形成された流体通路によって前記流体ポートに流体的に連結される流体ノズル開口部であって、吹き付けるべき流体は、該流体ノズル開口部を通って前記銃身から流出することができる、流体ノズル開口部と、
前記銃身をスプレーガンに連結するように構成されるガンインターフェースと、
前記ガンインターフェースに近接し、前記銃身内に形成されたブースト通路に流体的に連結されるブースト供給ポートと、を有し、
前記スプレーガンは、
銃身インターフェース内に収容されるブーストポートを有し、
前記銃身インターフェースにおいて前記ガンインターフェースに連結され、
前記ブースト通路は、前記ブーストポートから流れる加圧ブースト流体を、前記流体インターフェースに近接するブースト吐出口まで送達し、互換性コーティング流体リザーバ内の流体を、前記流体通路内部及び前記流体ノズル開口部の外部へ付勢するのを補助するように構成される、組立体。
【００１９】
実施形態１６：スプレーガンの互換性銃身に連結するように構成されたコーティング流体リザーバであって、
コーティング流体チャンバと、
分離部材によって前記コーティング流体チャンバから分離されるブースト流体チャンバと、
蓋部材と、を備え、
該蓋部材は、
前記コーティング流体リザーバを互換性銃身に連結するためのリザーバコネクタと、
前記コーティング流体チャンバに流体的に連結されている流体アパーチャと、
前記ブースト流体チャンバに流体的に連結されているブーストアパーチャと、を有し、
前記ブーストアパーチャを介して加圧ブースト流体を前記ブースト流体チャンバへ導入することによって、前記コーティング流体チャンバへ圧力が加えられ、前記流体アパーチャを通して前記コーティング流体チャンバ内の流体を付勢する、コーティング流体リザーバ。
【００２０】
実施形態１７：前記流体アパーチャは、アパーチャ軸線を取り囲む中央通路を有し、
前記ブーストアパーチャは、前記アパーチャ軸線から第１の距離に前記流体アパーチャに隣接して位置決めされる、実施形態１６に記載のコーティング流体リザーバ。
【００２１】
実施形態１８：前記ブーストアパーチャは、前記流体アパーチャを取り囲む少なくとも１つのアパーチャを有する、実施形態１６又は１７いずれかに記載のコーティング流体リザーバ。
【００２２】
実施形態１９：前記流体アパーチャは、カップリング突出部を通じて軸方向通路によって画定され、前記カップリング突出部は、スプレーガンの互換性銃身に対して封止するように構成される突出部合わせ面を含む、実施形態１６〜１８のいずれかに記載のコーティング流体リザーバ。
【００２３】
実施形態２０：前記ブーストアパーチャは、前記カップリング突出部を取り囲む複数のアパーチャを有する、実施形態１９に記載のコーティング流体リザーバ。
【００２４】
実施形態２１：前記蓋部材は、リザーバコネクタを更に有し、
該リザーバコネクタは、互換性銃身上に前記蓋部材を保持するように構成された保持部材を含む、実施形態１６〜２０のいずれかに記載のコーティング流体リザーバ。
【００２５】
実施形態２２：前記分離部材は、前記コーティング流体チャンバを取り囲む圧縮可能なポーチを有する、実施形態１６〜２１のいずれかに記載のコーティング流体リザーバ。
【００２６】
実施形態２３：前記ブースト流体チャンバは、前記コーティング流体チャンバを取り囲む、実施形態１６〜２２のいずれかに記載のコーティング流体リザーバ。
【００２７】
実施形態２４：前記ブースト流体チャンバは、外側ハウジングによって取り囲まれる、実施形態１６〜２２のいずれかに記載のコーティング流体リザーバ。
【００２８】
実施形態２５：前記外側ハウジングは、前記蓋部材、及び分離可能なカップ部材を有する、実施形態２４に記載のコーティング流体リザーバ。
【００２９】
実施形態２６：前記蓋部材は、カラーによって前記分離可能なカップ部材に接合される、実施形態２５に記載のコーティング流体リザーバ。
【００３０】
実施形態２７：前記蓋部材は、前記外側ハウジングと一体であり、該外側ハウジングの一方の端部を形成する、実施形態２４に記載のコーティング流体リザーバ。
【００３１】
実施形態２８：前記コーティング流体リザーバを互換性銃身へ連結したときに、前記ブーストアパーチャから前記流体アパーチャを流体的に隔離するように構成される流体アパーチャ封止部材を備える、実施形態１６〜２７のいずれかに記載のコーティング流体リザーバ。
【００３２】
実施形態２９：前記コーティング流体リザーバを互換性銃身へ連結したときに、周囲の雰囲気から前記ブーストアパーチャを流体的に隔離するように構成されるブーストアパーチャ封止部材を備える、実施形態１６〜２８のいずれかに記載のコーティング流体リザーバ。
【００３３】
実施形態３０：スプレーガンプラットフォームを備えるスプレーガンであって、
前記スプレーガンプラットフォームは、分離可能な銃身を連結するために構成された銃身インターフェースと、流体入口と、トリガーバルブと、を有し、
前記銃身インターフェースは、前記トリガーバルブの作動時に前記流体入口と流体的に連通するブーストポートを含む、スプレーガン。
【００３４】
実施形態３１：スプレーガンプラットフォームを備えるスプレーガンであって、
前記スプレーガンプラットフォームは、銃身を有し、
前記銃身は、ブースト通路と、流体通路と、流体インターフェースと、を含み、
前記流体インターフェースは、
前記ブースト通路と流体的に連通するブースト吐出口と、
前記流体通路と流体的に連通する流体ポートと、を含む、スプレーガン。
【００３５】
実施形態３２：流体入口及びトリガーバルブを更に備え、
前記ブースト吐出口は、前記トリガーバルブの作動時に前記流体入口と流体的に連通する、実施形態３１に記載のスプレーガン。
【００３６】
実施形態３３：前記銃身は、前記スプレーガンプラットフォームと一体になっている、実施形態３１又は３２のいずれかに記載のスプレーガン。
【００３７】
実施形態３４：前記銃身は、
前記スプレーガンプラットフォームから分離可能であり、且つ
ガンインターフェースを含み、
前記スプレーガンプラットフォームは、銃身インターフェースを有し、
前記ガンインターフェースは、前記銃身インターフェースに解放可能に連結される、実施形態３１〜３２のいずれかに記載のスプレーガン。
【００３８】
実施形態３５：前記流体インターフェースに連結されているコーティング流体リザーバを更に備える、実施形態３１〜３４のいずれかに記載のスプレーガン。
【００３９】
実施形態３６：前記コーティング流体リザーバは、
前記ブースト吐出口と流体的に連通するブーストアパーチャと、
前記流体ポートと流体的に連通する流体アパーチャと、を有する、実施形態３５に記載のスプレーガン。
【００４０】
実施形態３７：前記コーティング流体リザーバは、
前記ブーストアパーチャと流体的に連通するブースト流体チャンバと、
前記流体アパーチャと流体的に連通するコーティング流体チャンバと、を有する、実施形態３６に記載のスプレーガン。
【００４１】
実施形態３８：前記コーティング流体リザーバは、前記コーティング流体チャンバから前記ブースト流体チャンバを流体的に隔離する分離部材を有する、実施形態３７に記載のスプレーガン。
【００４２】
実施形態３９：互換性銃身内へ組み付けるためのポーチであって、
コーティング流体チャンバを取り囲む分離部材と、
前記コーティング流体チャンバと流体的に連通する流体アパーチャと、
前記流体アパーチャに近接するカップリング突出部であって、前記銃身内の１以上の協働銃身合わせ面に対して封止するように構成される１以上の突出部合わせ面を有する、カップリング突出部と、を備える、ポーチ。
【００４３】
本発明のこれらの態様及び他の態様は、以下の詳細な説明より明らかになるであろう。しかしながら、上記の概要は、いかなる場合においても特許請求される主題に対する限定として解釈されるべきではなく、手続において補正され得る添付の特許請求の範囲によってのみ定義されるものである。
【図面の簡単な説明】
【００４４】
本明細書全体にわたって、類似の参照番号が類似の要素を指す添付図面が参照される。
【図１】本開示に係る例示のスプレーガンの斜視図を示す。
【図１Ａ】本開示に係る例示のスプレーガンの分解斜視図を示す。
【図２】本開示に係る例示のスプレーガンの図１の線２−２に沿って取られた断面図を示す。
【図３】本開示に係る例示のコーティング流体リザーバ及び銃身組立体の分解斜視図を示す。
【図３Ａ】本開示に係る例示のコーティング流体リザーバ及び銃身組立体の分解斜視図を示す。
【図４】図２のスプレーガンに使用されるような例示のコーティング流体リザーバ及び銃身組立体の断面図を示す。
【図５】本開示に係る例示の蓋部材の平面図を示す。
【図６】本開示に係る例示の銃身及び流体キャップ組立体の斜視図を示す。
【図７】本開示に係る例示の銃身の図６の線７−７に沿って得られた断面図を示す。
【図８】本開示に係る銃身の例示の流体インターフェースの平面図を示す。
【図９】本開示に係る銃身の例示のガンインターフェースの平面図を示す。
【図１０】本開示に係る例示のコーティング流体リザーバ及び銃身組立体の分解斜視図を示す。
【図１１】図１０の線１１−１１に沿って得られた斜視断面図を示す。
【図１２】図１１の組立体の組立断面図を示す。
【図１３】本開示に係る例示のコーティング流体リザーバ及び銃身組立体の分解斜視図を示す。
【図１４】本開示に係る例示のポーチ及び蓋部材組立体の斜視図を示す。
【図１５】図１４の組立体の分解斜視図を示す。
【図１６Ａ】本開示に係る分離可能な銃身を備える例示のスプレーガンの概略図を示す。
【図１６Ｂ】本開示に係る分離可能な銃身を備える例示のスプレーガンの概略図を示す。
【図１６Ｃ】本開示に係る分離可能な銃身を備える例示のスプレーガンの概略図を示す。
【図１６Ｄ】本開示に係る分離可能な銃身を備える例示のスプレーガンの概略図を示す。
【図１６Ｅ】本開示に係る分離可能な銃身を備える例示のスプレーガンの概略図を示す。
【図１７Ａ】本開示に係る一体型銃身を備える例示のスプレーガンの概略図を示す。
【図１７Ｂ】本開示に係る一体型銃身を備える例示のスプレーガンの概略図を示す。
【図１８】本開示に係る例示のスプレーガンの分解斜視図を示す。
【発明を実施するための形態】
【００４５】
図１及び図２を参照すると、スプレーガンプラットフォーム３と、スプレーガンプラットフォーム３に連結される分離可能な銃身２０と、銃身２０に連結されるコーティング流体リザーバ８０とを備える例示のスプレーガン２が示されている。銃身２０は、スプレーガンプラットフォーム３上の銃身インターフェース１０に連結するガンインターフェース４０を備える。銃身２０は、コーティング流体リザーバ８０上のリザーバコネクタ１００に連結する流体インターフェース２４を更に備える。図示されるように、流体インターフェース２４は銃身コネクタ２５を備え、銃身コネクタ２５にリザーバコネクタ１００の保持部材９８が離脱可能に連結される。図１に見ることができるように、銃身２０は流体キャップ２１を備えてもよい。スプレーガンプラットフォーム３は、スプレーガンプラットフォーム３から流体キャップ２１までの成形流体の流れを制御するように構成される成形流体調節部４を備える。スプレーガンプラットフォーム３は、スプレーガンプラットフォーム３上の流体入口７に流入する入口流体の流れを切り替えるためにトリガーバルブ６（例えば、図１６Ａ〜図１７Ｂ全体にわたって模式的に示される）を起動するように構成されるトリガーアクチュエータ５を更に備える。
【００４６】
図１Ａ及び図２を参照することによってより良く視覚化されるように、起動されたトリガーバルブ６を通って入口流体が流されると、入口流体の一部分は、成形流体として使用するために成形流体調節部４を介して分流され、別の部分は、例えば、銃身２０上の流体ノズル開口部３２を取り囲む中心流体として使用するためにガンインターフェース４０を介してコーティング流体チャンバ４２へ分流される。当該技術において既知であるように、中心流体は、流体ノズル開口部３２を通って流れるコーティング流体６０を円錐パターンで噴霧及び推進するように構成されるが、成形流体は、流体ホーン８から流出して、円錐パターンを卵形又は楕円などの細長いパターンに成形する。図２に示すスプレーガンプラットフォーム３の設計の複雑さのせいで、様々な流路のすべてを単一の断面で十分に示すことができないことに留意する必要がある。本明細書の実施形態と共に使用するのに好適なスプレーガン特徴部の更なる説明は、米国特許公開第２０１０／０１８７３３３Ａ１号（Ｅｓｃｏｔｏ，Ｊｒらに付与）に見出すことができ、その開示はその全体が参照によって本明細書に組み込まれる（関連図面及び説明と共に、例えば、その中の参照番号１０を参照のこと）。
【００４７】
上記の流路に加えて、図２の断面は、スプレーガンプラットフォーム３から流れるブースト流体５２をコーティング流体リザーバ８０内のブースト流体チャンバ８８まで運ぶように構成される銃身２０内のブースト通路４８を示す。図示されるように、ブースト供給ポート４４はコーティング流体チャンバ４２内に形成され、よって、ブースト流体５２として使用するために、コーティング流体チャンバ４２からの流体を分流させる。ブースト流体５２は、次いで、ブースト供給ポート４４を通って銃身２０内のブースト通路４８の中へ流れ、流体インターフェース２４に近接するブースト吐出口５６を通り、そして最終的にはコーティング流体リザーバ８０内のブーストアパーチャ１０８（例えば、図４及び図５により明瞭に示される）を通って、ブースト流体チャンバ８８の中へ流れることができる。幾つかの実施形態では、ブースト供給ポート４４はスプレーガンプラットフォーム３上のブーストポート１１に直接連結する（すなわち、コーティング流体チャンバ４２から流体を引き込むのではない）。このような実施形態では、ブーストポート封止部材１３（例えば、図１６Ｄ及び図１６Ｅを参照のこと）が、所望により、ブースト供給ポート４４又はブーストポート１１のいずれか又は両方の上に提供されてよい。このようなブーストポート封止部材１３は、本明細書の別の箇所に開示されるものなどの任意の好適な封止材料を含んでよい。使用される場合、ブーストポート１１は、スプレーガンプラットフォーム３から流れるブースト流体５２用の別個の専用流路を提供することができる。このようなブーストポート１１は、例えば、ソケット若しくは突出部、又は銃身２０上の互換性ブースト供給ポート４４と協働してブースト流体５２の隔離流体連通を提供するのに好適な任意の他の特徴部を備えることができる。
【００４８】
幾つかの実施形態では、ブースト流体チャンバ８８に流入するブースト流体５２の流量は、ブースト可変フロー制御部５０（例えば、図１６Ｂ〜図１６Ｅ及び図１７Ｂに模式的に示される）によって調整することが可能である。ブースト可変フロー制御部５０は、異なる用途のためにブースト流体５２によって提供される「プッシュ」の程度を調節するのを補助することができる。例えば、異なる粘度のコーティング流体が用いられる場合には、ブースト流体５２の流れを変化させることが有利である場合がある。同様に、コーティング流体６０の異なる塗布速度が用いられる場合には、ブースト流体５２の流れの速度を変化させることが有利である場合がある。大抵の状況では、ブースト流体５２の流量は、コーティング流体６０がコーティング流体チャンバ８４を離れるときにブーストチャンバ内の定常圧力を少なくとも維持するのに十分である必要がある。
【００４９】
ブースト可変フロー制御部５０は、含まれるときには、ニードルバルブ又は他の可変オリフィスなどの任意の好適な可変フロー制御機構を備えてよい。ブースト可変フロー制御部５０は、ブースト流体チャンバ８８の機能的に上流にあるスプレーガン２上の任意の位置に含まれてよいが、ガンの構成に応じて、容易にアクセス可能な特定の部分の上に有利に位置づけられてよい。例えば、幾つかの実施形態では、ブースト可変フロー制御部５０は、ブースト通路４８と連通して銃身２０上に位置する。他の実施形態では、ブースト可変フロー制御部５０はコーティング流体リザーバ８０に位置して、ブーストチャンバに流入するブースト流体５２を調整する。上記の２つの構成において、単一の又は限られた期間の使用の可能性があるため、ブースト可変フロー制御部５０を比較的安価でかつ使い捨て可能である形態で設けることが有利である場合がある。更に他の実施形態では、ブースト可変フロー制御部５０はスプレーガンプラットフォーム３上に位置する。スプレーガンプラットフォーム３上に位置する場合、ブースト可変フロー制御部５０は、スプレーガンプラットフォーム３の有効寿命にわたって耐えるように構築されてよい。参考のために、図１６Ａ〜図１７Ｂ及び以下の表１及び２は、ブースト可変フロー制御部５０のための幾つかの代替構成について記載している。
【００５０】
有利には、ブースト可変フロー制御部５０は、ブースト流体５２用の遮断装置として機能する能力を有する必要はなく、また全体的に省略することができる。その理由は、コーティング流体６０が、ブースト流体チャンバ８８から流体的に隔離されているコーティング流体チャンバ８４内に限定されている結果として、コーティング流体６０がコーティング流体リザーバ８０からブースト通路４８の中へ流れる恐れがないからである。
【００５１】
ブースト可変フロー制御部５０バルブの不在下で、ブースト流体５２の流れは、固定式オリフィスなどの他の手段によって又は単純に適切な流体導管サイズの選択によって、好適な動作レベル内に調整又は維持することができる。幾つかの実施形態では、スプレーガンプラットフォーム３から供給される流体の単純な調整されていない分流で十分であるので、ブースト流体５２の流れを調節するための特定の手段は必要でない。このことは、流体入口７に流入する流体が圧力調整器などの装置によって既に調整済みである場合に特に当てはまる。
【００５２】
図５は、アパーチャ軸線１０５に沿って見たときのコーティング流体リザーバ８０の例示の蓋部材９６を示す。図５では、例示のブーストアパーチャ１０８及び流体アパーチャ１０４がより明瞭に示されている。図示されるように、流体アパーチャ１０４は中央通路１０６を備え、ブーストアパーチャ１０８はリングのように流体アパーチャ１０４を取り囲む複数のブーストアパーチャ１０８’を備える。中央通路１０６はアパーチャ軸線１０５を取り囲み、またブーストアパーチャ１０８はアパーチャ軸線１０５から第１距離で流体アパーチャ１０４に隣接して位置付けられている。
【００５３】
図６〜図９を参照すると、銃身２０の流体インターフェース２４は、流体アパーチャ１０４と流体的に連結するための流体ポート２８、及びブーストアパーチャ１０８と流体的に連結するためのブースト吐出口５６を備える。図示されるように、ブースト吐出口５６はコーティング流体リザーバ８０内のブーストアパーチャ１０８’の配置に形状において対応する環を備える。
【００５４】
封止機構の任意の様式が、コーティング流体通路３６とブースト通路４８との間、及びブースト通路４８と周囲大気との間の流体隔離を確実にするのに使用されてよい。特に比較的に低い流体圧力が用いられる場合には、例えば、する嵌め部（tightly fitting parts）で十分であり得る。図１６Ａ〜図１７Ｂ全体を通して模式的に示されるように、封止部材は組立体内の様々な位置において使用されてよい。一実施形態では、流体アパーチャ封止部材１１８は、（銃身２０がコーティング流体リザーバ８０に連結されているとき）ブースト通路４８からコーティング流体通路３６を流体的に隔離するために設けられている。幾つかの実施形態では、ブーストアパーチャ封止部材１１９は、（銃身２０がコーティング流体リザーバ８０に連結されているとき）周囲大気からブーストアパーチャ１０８を流体的に隔離するために設けられてよい。幾つかの実施形態では、流体アパーチャ封止部材１１８とブーストアパーチャ封止部材１１９の両方が設けられる。流体アパーチャ封止部材１１８及び／又はブーストアパーチャ封止部材１１９は、使用する場合、銃身２０又はコーティング流体リザーバ８０のいずれか又は両方の上に設けられてよい。例示の封止部材としては、Ｏリング、ガスケット、オーバーモールドされたポリマー（例えば、ＳＡＮＴＯＰＲＥＮＥなどの熱可塑性エラストマー）などが挙げられる。
【００５５】
例示の銃身２０及びコーティング流体リザーバ８０組立体のより詳細を図４に見ることができる。図示されるように、ブースト供給ポート４４はガンインターフェース４０に対して開放し、またブースト通路４８はブースト供給ポート４４を、コーティング流体リザーバ８０及び流体アパーチャ１０４に近接しているブースト吐出口５６に連結する。また、任意の成形コーティング流体チャンバ及びコーティング流体通路３６に連結している流体ニードル通路３３を見ることができる。銃身２０がスプレーガンプラットフォーム３（例えば、図２に示すように）連結されているときには、流体ニードル９が流体ノズル開口部３２を閉塞するように当初の段階から位置付けられている。銃身２０がガンインターフェース４０においてプレーガンプラットフォーム３に封止的に連結するためには、ガンインターフェース４０又は銃身インターフェース１０のいずれか又は両方に、ガンインターフェース封止部材４１が所望により設けられてよい。ガンインターフェース封止部材４１は本明細書の他の箇所で記載されているものなど、任意の好適な封止材料を含んでよい。トリガーバルブ６を起動すると、その結果として流体ニードル９を引っ込めることができ、コーティング流体６０が流体ノズル開口部３２から漏れ出るのを可能にする。
【００５６】
コーティング流体リザーバ８０は、蓋部材９６によって閉じられる分離可能なカップ部材１２０を備える外側ハウジング１１６を備える。図３に示す実施形態では、蓋部材９６はカラー１２４によって分離可能なカップ部材１２０に固定される。使用される場合、カラー１２４は（図示するような）ねじ山によって、ツイストロック、又は任意の他の着脱可能な連結部材によって分離可能なカップ部材１２０に連結されてよい。図示するように、蓋部材９６はリザーバコネクタ１００を備え、カラー１２４はカラーコネクタ１２５を備える。リザーバコネクタ１００及びカラーコネクタ１２５はそれぞれ、銃身２０上の流体インターフェース２４と相互作用してコーティング流体リザーバ８０の銃身２０への確実な連結をもたらす。典型的には、流体アパーチャ１０４はリザーバコネクタ１００に位置することによって、コーティング流体６０がコーティング流体リザーバ８０から銃身２０まで流れることを可能にする。リザーバコネクタ１００及び／又はカラーコネクタ１２５は、該当する場合には、例えば、１以上の保持部材９８を備えてよい。保持部材９８は１以上のフック部材、ねじ山、ツイストロック、又は流体インターフェース２４上の協働銃身コネクタ２５に離脱可能に連結するように構成される任意の他の着脱可能な連結部材を備えてよい。示された実施形態では、リザーバコネクタ１００は蓋部材９６上に配設される。他の実施形態では、リザーバコネクタ１００は外側ハウジング１１６に又はコーティング流体リザーバ８０上の他の部分に配設されてよい。
【００５７】
外側ハウジング１１６は、加圧ブースト流体５２を収容し、かつコーティング流体チャンバ８４を取り囲むために好適な任意の材料又は構成体を備えてよい。例えば、外側ハウジング１１６は剛性又は可撓性壁を備えてよい。可撓性壁が選ばれる場合には、加圧ブースト流体５２をブースト流体チャンバ８８の中へ導入すると同時に、外側ハウジング１１６は膨張する可能性がある。このような膨張は、コーティング流体チャンバ８４に対して圧力を提供するのに必要である程度に起こり得、かつコーティング流体６０の塗布が完了するまで続きさえすればよく、その後に可撓性壁は圧潰（collapse）してもよい。可撓性壁の外側ハウジング１１６は、貯蔵及び出荷の目的で（圧潰可能であるせいで）より少ない空間を有利に使うことができ、かつ付加的に必要とする材料もより少なくてよく、したがってより軽くなり、かつより低コストになる。その一方で、剛性壁の外側ハウジング１１６は、コーティング流体チャンバ８４が適切に収容されるように、かつ据付け又は使用中にばたばた動いたり又は倒れやすくならないように、コーティング流体リザーバ８０のための増強された構成体を提供してよい。幾つかの実施形態では、ハイブリッド構造が用いられてよく、その場合、普通であれば可撓性である壁に増強された剛性を付与するのを補助するために、可撓性材料は１以上の構造部材によって少なくとも部分的に支持される。このようなハイブリッド構造は、上述した両方のタイプの構造の利点を有利に組み合わせることができる。幾つかの実施形態では、分離可能なカップ部材１２０は可撓性壁を備えるが、蓋部材９６は剛性である。幾つかの実施形態では、分離可能なカップ部材１２０は剛性であり、一方、蓋部材９６は少なくとも部分的に可撓性である（すなわち、銃身２０への確実な連結を提供するためにリザーバコネクタ１００は剛性であるが、ほかの部分は可撓性である）。幾つかの実施形態では、分離可能なカップ部材１２０及び蓋部材９６は共に可撓性である（個々でも同様に、蓋部材９６は銃身２０への確実な連結を提供するためリザーバコネクタ１００は剛性であるが、ほかの部分は可撓性である）。
【００５８】
可撓性壁の外側ハウジング１１６に好適な材料としは、分離部材９２として使用するための本明細書に記載された材料が挙げられる。外側ハウジング１１６又はその構成要素に剛性材料が使用されるか又は可撓性材料が使用されるかどうかにかかわらず、圧力逃がし部材１２が本明細書に記載される理由で有利に使用されてよい。外側ハウジング１１６及びその構成要素は、（剛性又は可撓性にかかわらず）透明、半透明、若しくは不透明であってよく、また未着色又は有色であってよく、供給源／内容物／体積のしるしが印刷されていても印刷されていなくてもよく、あるいはそれらの任意の組み合わせとすることができる。
【００５９】
図３Ａに示す代替の実施形態では、蓋部材９６はカラー１２４を必要とせずに分離可能なカップ部材１２０に直接固定される。このような連結はねじ山（図示のように）を介して、ツイストロック、又は任意の他の着脱可能な連結部材によってでよい。
【００６０】
外側ハウジング１１６内では、分離部材９２がブースト流体チャンバ８８からコーティング流体チャンバ８４を分離している。コーティング流体チャンバ８４はコーティング流体６０で充填されるように構成される。一実施形態では、コーティング流体リザーバ８０（例えば、外側ハウジング１１６、分離可能なカップ部材１２０、蓋部材９６、若しくはカラー１２４）は、ブースト流体５２が所定圧力を超える場合にコーティング流体リザーバ８０からブースト流体５２を放出するように適合された圧力逃がし部材１２を備える。コーティング流体チャンバ８４に作用するブースト流体５２の正常な機能を確保するために、この所定圧力はブースト流体５２の予想動作圧力よりも高くなるように選定されるべきである。このような圧力逃がし部材１２は所望によるものである。
【００６１】
分離部材９２はコーティング流体６０に対して、ブースト流体５２に対して、若しくは両方に対して不透過性であってよい。このような実施形態では、コーティング流体チャンバ８４内のコーティング流体６０は、ブーストチャンバ、したがってブーストアパーチャ１０８から流体的に隔離される。したがって、コーティング流体６０は、コーティング流体６０が廃棄されてしまうか又はガンの汚損を引き起こす可能性があるブースト通路４８へ流入することができない。これはスプレーガン２に対するコーティング流体リザーバ８０の向きに無関係に当てはまる。例えば、充填されたコーティング流体リザーバ８０がスプレーガン２の上方に方向付けられるときには、重力がコーティング流体６０をブースト通路４８に流入するように付勢する傾向があるが、分離部材９２がコーティング流体６０をコーティング流体チャンバ８４内に収容された状態に維持する。別の言い方をすれば、分離部材９２の不在下では、重力はコーティング流体６０をブースト通路４８に流入するように付勢する傾向にある。
【００６２】
分離部材９２は、ブースト流体５２がコーティング流体チャンバ８４の外側表面に圧力をかけるにつれて、コーティング流体チャンバ８４が圧潰ことを可能にする材料を更に備えてよく、コーティング流体６０は、流体アパーチャ１０４を通して吹き付けられるように放出される。一実施形態では、分離部材９２は、例えば米国特許公開第２００４／０２５６４８４号（Ｊｏｓｅｐｈらに付与）に記載されるような熱／真空成形ライナー部材を備え、その開示はその全体が本明細書に参照によって組み込まれる（例えば、関連説明及び図面とともに、その中の参照番号１３を参照のこと）。幾つかの実施形態では、本明細書の別の箇所に更に記載されるように、分離部材９２はポーチ９３を備える。いずれにおいても、分離部材９２は、本明細書に記載される機能を達成するのに好適な材料の単層又は多層を備えてよい。
【００６３】
上述したように、分離部材９２は、加圧ブースト流体がブースト流体チャンバに加わることに反応して膨張又は収縮し、それによってコーティング液チャンバからコーティング液を付勢する又は押し出すためにコーティング流体チャンバの体積を変更する構造を備えてよい。このような膨張及び／又は収縮は複数の方法で達成されてよい。例えば、分離部材の材料は、伸張、展開（unfolding）、拡張（un-collapsing）、皺伸ばし、若しくは機構の組み合わせにより、ブースト流体チャンバ体積の増大に順応できる。例えば、分離部材は、ブースト流体チャンバ体積が増大するにつれて膨らむ弾性的に膨張可能な材料（弾性ゴムバルーンに近い）を含んでよい。このような実施形態では、分離部材材料の表面積は、ブースト流体チャンバ体積が増大するにつれて、弾性変形、塑性変形、若しくは両方によって増大することができる。このような実施形態は密閉容器内のバルーンになぞらえることができ、その場合、バルーンの内部（すなわち、ブースト流体チャンバ）は小さい体積として始まり、密閉容器内の残りの空間（すなわち、コーティング液チャンバ）を充填するように膨張して、残りの空間内の流体が押し出される。幾つかの実施形態では、分離部材は、当初は折り畳まれている、圧潰している、皺になっている、若しくはそれらの組み合わせになっていてよく（例えば、展開される前の車両のエアバッグのやり方で）、ブースト流体チャンバ体積が増大するにつれて、それぞれ展開、拡張、皺伸ばしする、若しくはそれらの組み合わせとなってもよい。このような実施形態では、分離部材材料の表面積は、ブースト流体チャンバ体積が増大するにつれて増大する必要がない（だが、選ばれた材料の弾性に応じて必要がある場合もある）。
【００６４】
更に、分離部材は、分離部材の少なくとも一部分が、分離部材の他の部分に対して相対的に剛性、かつ非変形可能である、複合構造を備えてよい。例えば、分離部材は外側ハウジング内でピストンとしての働きをするように構築されてよく、その場合、より剛性な部分は、コーティング液と界接するピストンの面を形成し、分離部材の他の部分は、ブースト流体チャンバの体積が増大するにつれて、ピストン面に倣うように（例えば、アコーディオン蛇腹、又は前述した弾性又は塑性変形により）変形する。このような実施形態では、分離部材のより変形可能な部分が、前段落に記載されるように構築されて、ブースト流体チャンバの体積が増大するにつれて、伸張、膨張、展開、拡張、皺伸ばしする、若しくはそれらの組み合わせとなるようにしてよい。
【００６５】
動作中、コーティング流体チャンバ８４はコーティング流体６０で充填され、コーティング流体リザーバ８０はスプレーガン２の銃身２０に連結されている。図示されるように、コーティング流体リザーバ８０は分離可能な銃身２０の流体インターフェース２４に連結されている。連結された状態では、コーティング流体チャンバ８４は、コーティング流体通路３６を介して銃身２０の流体ノズル開口部３２に流体的に連結されており、コーティング流体リザーバ８０のブーストチャンバは、ブースト通路４８を介してスプレーガン２の所望によるブーストポート１１に流体的に連結されている。加圧ブースト流体５２がブーストポート１１からブーストチャンバに供給されると、ブーストチャンバはその結果としてコーティング流体チャンバ８４に圧力を加えて、コーティング流体チャンバ８４から、最終的には流体ノズル開口部３２までコーティング流体６０を「絞り出す」のを補助する。ブースト通路４８が銃身２０内に引き回されているため、ユーザーが連結したり、ユーザーのガン操作を邪魔するホース又は外装流体導管がない。
【００６６】
幾つかの実施形態では、銃身２０はスプレーガンプラットフォーム３から分離可能である。幾つかの実施形態では、銃身２０はスプレーガンプラットフォーム３と一体になっている。
【００６７】
ここで、図１０〜図１２を参照すると、コーティング流体チャンバ８４が分離部材９２及び流体アパーチャ１０４を取り囲むカップリング突出部１０２を備える実施形態が示される。図示されるように、流体アパーチャ１０４はカップリング突出部１０２を通る軸方向通路１０７により画定される。この例では、分離部材９２はポーチ９３を備えるが、本明細書に想到される任意の他の分離部材９２であってもよい。コーティング流体チャンバ８４が銃身２０に組み付けられると、コーティング流体通路３６とブースト通路４８の両方が構成要素の相互作用によって作り出されるように、カップリング突出部１０２は銃身２０と協働する。図１２に見ることができるように、いったんこれらの構成要素が組み付けられると、ブースト流体５２は、ブースト供給ポート４４からブースト通路４８を通って、ブースト吐出口５６を通って、ブーストアパーチャ１０８を通って、及び最終的にはブースト流体チャンバ８８内部へ流通させることができる。特に、コーティング流体通路３６からブースト通路４８を流体的に隔離するために、カップリング突出部１０２は、銃身２０内の１以上の対応する銃身合わせ面２２に対して封止するように構成される１以上の突出部合わせ面１０３を備えることができる。
【００６８】
示される実施形態では、突出部合わせ面１０３及び銃身合わせ面２２はある程度複雑である。しかしながら、このような表面がより単純に協働し合うことができ、結果として、例えば、ピストンシール又は端面シールをもたらすことが想定されている。例えば、突出部合わせ面はシリンダーの外側表面を備えてよく、一方では、銃身２０合わせ面は円筒形ソケットの協働内側壁を備えてよい。封止部材は突出部合わせ面及び銃身２０合わせ面のいずれか又は両方に対応するように設けられてよい。例示の封止部材としては、Ｏリング、ガスケット、オーバーモールドされたポリマー（例えば、ＳＡＮＴＯＰＲＥＮＥなどの熱塑性エラストマー）などが挙げられる。
【００６９】
カップリング突出部１０２はキャップ部材９４の一体型特徴部として形成されてよく、あるいはキャップ部材９４へ連結されてよい（プレス嵌めによるなど）。例えば、図１１を参照されたく、図中、カップリング突出部１０２は、ポーチ９３上のキャップ部材９４（図１１では番号が付けられていない）とぴったり合う管である。他の実施形態では、カップリング突出部は蓋部材９６に組み付くか、又は蓋部材９６と一体になっていてよい。
【００７０】
ここで、図１３〜図１５に目を向けると、コーティング流体チャンバ８４が分離部材９２及びキャップ部材９４を備える更なる実施形態が示されている。キャップ部材９４（図１５の分解図に別体に示されている）は、溶接又は接着剤によるなどの好適な固着技術によって、直接的に又は間接的に分離部材９２に固定されている。キャップ部材９４は、内部を通ってコーティング流体６０がコーティング流体チャンバ８４から流れることができる流体アパーチャ１０４を備える。この例では、キャップ部材９４は、例えばスナップ嵌め、締まりばめ、接着剤固着、音波溶接、ネジ連結、ツイストロック連結などの着脱可能な（releaseable）又は着脱不可能な機械的連結を介して蓋部材９６に連結するように構成される。連結と同時に、ブースト流体５２用の流路がキャップ部材９４と蓋部材９６との間に維持される。このようにして、ブースト流体５２は構成要素の間を自由に流れることができ、それと同時にそれらの間の確実な機械的連結が維持される。
【００７１】
幾つかの実施形態では、蓋部材９６はキャップ部材９４に永続的に連結され、よって組立体全体は（図１４に示されるように）ユニットとして据え付けられ、かつ所望により使用後廃棄されてよい。他の実施形態では、キャップ部材９４は、別個の蓋部材９６の中へ容易に据え付けられてよく（かつそれから取り外されてよく）、よって一方又は両方の構成要素は類似の構成要素と交換できるようになっている。蓋部材９６がコーティング流体６０と接触しないように、特に（必ずしもそうとは言えないものの）流体アパーチャ１０４が蓋部材９６のリザーバコネクタ１００の大部分を通して突出するのに十分に長い場合には、例えば、コーティング流体チャンバ８４及びキャップ部材９４は蓋部材９６から切り離されて廃棄されて、新しいコーティング流体チャンバ８４及びキャップ部材９４が同じ蓋部材９６に連結されてよい。
【００７２】
本明細書に記載されている実施形態のいずれにおいても、コーティング流体チャンバクロージャ８５は、コーティング流体チャンバ８４を閉じて内部のコーティング流体６０の劣化を防止するか又は遅らせるために設けられてよい。一例が図４に破線で示されている。幾つかの実施形態では、コーティング流体チャンバクロージャ８５は、流体アパーチャ１０４を通ってアクセス可能とされて、流体アパーチャ１０４からコーティング流体６０を流出可能にするようにそれを破るか取り除くことができるようになっている。場合によっては、このようなコーティング流体チャンバクロージャ８５は、特定のコーティング流体６０を封じ込めるために工場出荷時に据え付けられて提供されてよい。例えば、エンドユーザーは所与の塗布のために特定の予混合されたコーティング流体６０を選択してよい。このような場合に、当該流体を収容しているコーティング流体チャンバ８４は、塗布の直前にエンドユーザーによって突き刺されるフォイルシールを備えるコーティング流体チャンバクロージャ８５と共にエンドユーザーに提供されてよい。一実施形態では（図４の破線をも参照）、銃身２０はコーティング流体チャンバ８４をスプレーガン２上に据え付ける際にコーティング流体チャンバクロージャ８５を自動的に穿刺するために、穿刺部材８６を備える。このようなコーティング流体チャンバクロージャ８５及び／又は穿刺部材は、本明細書に開示される実施形態のいずれにも組み込まれてよく、図４に示される実施形態における使用に限定されない。
【００７３】
このような実施形態では、いったん穿刺されて、かつコーティング流体６０の適用前では、エンドユーザーはコーティング流体チャンバ８４内へ（例えば、注入により）触媒又は他の添加剤を添加してよい。この工程はコーティング流体リザーバ８０の銃身２０上への組み付け前又は後に行われてよい。コーティング流体チャンバ８４は、異なるコーティング流体又はコーティング流体の成分を収容する２つ以上のセクションを備えてもよいこと、及びこのようなセクションが両方とも適用前に穿刺されてもよいことも想定される。例えば、コーティング流体チャンバ８４は、コーティング流体６０を備える第１セクション及びコーティング流体６０用の触媒を備える第２セクションを備えてよい。２つのセクション内の流体は、穿刺されると、使用前に混合され得る。幾つかの実施形態では、銃身２０又はコーティング流体リザーバ８０（例えば、恐らく蓋部材９６又はキャップ部材９４と一体になっている）は、コーティング流体リザーバ８０が銃身２０上に設置されると両方のセクションを穿刺する穿刺部材８６を備える。「穿刺」は一例として明示的に前述されているが、コーティング流体チャンバクロージャ８５を破る又は開放する他の形態（例えば、破裂、粘着タブの除去、融解、引き裂きなど）が想到される。
【００７４】
クロージャ部材の無い、あるいはコーティング流体リザーバ８０の銃身への組み付け前にコーティング流体チャンバクロージャ８５が穿刺される実施形態では、スプレーガン２は連結前に反転される（すなわち、コーティング流体がコーティング流体リザーバ８０から漏れるのを防止する）必要がある。
【００７５】
ここで、図１６Ａ〜図１７Ｂに目を向けると、例示のスプレーガンの複数の模式図が示される。これらの図面は、本開示に従った特徴部の複数の（ただし、必ずしも全てではない）可能な組み合わせ及び構成を示すことを意図している。
【００７６】
図１６Ａ〜図１６Ｅにおいて、分離可能な銃身を有する例示のスプレーガンの複数の模式図が示されている。以下の表１は、図示されていない実施形態とともに、これらの実施形態に示される特徴部を簡潔に要約している。表１の実施形態のリストは網羅することを意図したものではなく、可能な実施形態のサンプリングを表わしているに過ぎない。
【００７７】
【表１】
2015512777.tif 000003
【００７８】
ここで、図１７Ａ及び図１７Ｂに目を向けると、一体型銃身を有する例示のスプレーガンの２つの模式図が示されている。以下の表２は、図示されていない実施形態と共に、これらの実施形態に示される特徴部を簡潔に要約している。表２の実施形態のリストは網羅することを意図したものではなく、可能な実施形態のサンプリングを表わしているに過ぎない。
【００７９】
【表２】
2015512777.tif 000004
【００８０】
図１８に描写されたものなどの幾つかの実施形態では、コーティング流体チャンバ８４（例えば、ポーチ９３の形態）は、外側ハウジング１１６の開放上部端部内へ「上から装填」されてよく、その後外側ハウジング１１６の開放端部が蓋部材９６によって閉鎖される。例えば、コーティング流体リザーバ８０は、スプレーガンプラットフォーム３及び流体アパーチャ１０４と反対側の開放端部への連結のために一体形成された流体アパーチャ１０４を備えてよい。例えば、外側ハウジング１１６の一端には一体型流体アパーチャ１０４及び／又はリザーバコネクタ１００を、反対端には、内部を通ってコーティング流体６０を収容しているコーティング流体チャンバ８４（例えば、ポーチ９３の形態）を挿入できる開口部を設けてよい。このような実施形態では、蓋部材９６は外側ハウジング１１６の開放端部を閉じるために及びブースト流体チャンバ８８を封止するために設けられている。図示した例では、蓋部材は所望による圧力逃がし部材１２（図１８には参照番号が示されていない）を備えるが、このような圧力逃がし部材は省略されるか又は外側ハウジング１１６上に設けられてよい。
【００８１】
本発明の趣旨及び範囲から逸脱することなく、本発明の種々の修正及び変更が当業者には明らかであろう。本発明は、本明細書において説明した例示の実施形態に限定されないことを理解すべきである。
【図１】
2015512777.tif 000005
【図１Ａ】
2015512777.tif 000006
【図２】
2015512777.tif 000007
【図３】
2015512777.tif 000008
【図３Ａ】
2015512777.tif 000009
【図４】
2015512777.tif 000010
【図５】
2015512777.tif 000011
【図６】
2015512777.tif 000012
【図７】
2015512777.tif 000013
【図８】
2015512777.tif 000014
【図９】
2015512777.tif 000015
【図１０】
2015512777.tif 000016
【図１１】
2015512777.tif 000017
【図１２】
2015512777.tif 000018
【図１３】
2015512777.tif 000019
【図１４】
2015512777.tif 000020
【図１５】
2015512777.tif 000021
【図１６Ａ】
2015512777.tif 000022
【図１６Ｂ】
2015512777.tif 000023
【図１６Ｃ】
2015512777.tif 000024
【図１６Ｄ】
2015512777.tif 000025
【図１６Ｅ】
2015512777.tif 000026
【図１７Ａ】
2015512777.tif 000027
【図１７Ｂ】
2015512777.tif 000028
【図１８】
2015512777.tif 000029
【国際調査報告】
2015512777.tif 000030
2015512777.tif 000031
2015512777.tif 000032